(57)【特許請求の範囲】
【請求項１】
張出架設工法で構築する桁用コンクリートブロックを養生するため、コンクリート型枠を脱型した床版の張出しフランジ下面と底版下面とウェブ外面に夫々密着する養生材と、これらの養生材を支持するフレームとを備える桁用コンクリートブロック養生装置において、前記養生材は、前記底版下面に配置し気体注入で膨張する底版用袋体と、この底版用袋体の両側外方にあって前記張出しフランジ下面及びこれに連なる前記ウェブ外面に配置し気体注入で膨張し、最大桁高部を被覆し得る桁高追従袋体である一対のフランジ・ウエブ用袋体を有し、前記フレームは、底版型枠支持梁に固定し前記底版用袋体を支持する底版用フレームと、前記張出しフランジ下面に配置する外型枠支持梁に固定し前記フランジ・ウエブ用袋体を支持固定すると共に前記桁高追従袋体を固定する垂下部を有する略Ｌ字形状のフランジ・ウエブ用フレームを有することを特徴とする桁用コンクリートブロック養生装置。
【発明の詳細な説明】
【技術分野】
【０００１】
この発明は、張出架設工法で構築する桁用コンクリートブロック型枠解体後のコンクリートの養生装置であって、詳しくは養生材に気体注入で膨張する袋体を用いるバルーン型の養生装置に関するものである。
【背景技術】
【０００２】
橋梁の構築方法の１つとして張出架設工法があるが、移動式作業車によってサイクル施工する場合、少なくとも１ブロック毎にコンクリートを打設し、そのブロックのコンクリートが所定強度発現した後型枠を解体し、移動式作業車を前方の新設側に移動している。この時、コンクリートが急冷し、旧ブロックに拘束されてひび割れが発生することを防止するために、各種の対策が立てられている。
【０００３】
既設コンクリートブロックにおける急激な温度低下に起因するひび割れを防止する養生装置としては、例えば特許文献１に記載されるような養生装置があった。
【特許文献１】特開２００８−３０８９６２号公報
【０００４】
この養生装置は、図４に示すように、桁Ａを移動式作業車Ｂを用いて張出し施工によって構築する場合に、型枠解体後の既設コンクリートブロック１００に対し、床版の張出しフランジ下面と底版下面及びウェブ外面に断熱養生材１０１を圧着し、その外周縁部および中央部に木製等の縦枠材及び横枠材からなる枠型フレーム１０２を設け、これに断熱養生材１０１を適宜固定する構成であった。
【０００５】
この従来の養生装置に用いる断熱養生材１０１は、発泡スチロールなどの発泡合成樹脂を用いており、桁高あるいは橋軸方向のブロック幅に応じて適宜切断して利用するものであった。
【発明の開示】
【発明が解決しようとする課題】
【０００６】
しかし、従来の桁用コンクリートブロック養生装置では、養生材に用いる発泡合成樹脂を養生ブロック毎にその都度切断加工する煩雑さに加え、加工された養生材の再利用が困難となって、産業廃棄物が増大するという問題点があった。
【０００７】
この発明は、従来の桁用コンクリートブロック養生装置が有する上記の問題点を解消すべくなされたものであり、桁高の変化に追従でき、養生ブロック毎の加工を必要とせず、しかも養生材の再利用も可能とする桁用コンクリートブロック養生装置を提供することを目的としている。
【課題を解決するための手段】
【０００８】
上記課題を解決するため、この発明の桁用コンクリートブロック養生装置は、張出架設工法で構築する桁用コンクリートブロックを養生するため、コンクリート型枠を脱型した床版の張出しフランジ下面と底版下面とウェブ外面に夫々密着する養生材と、これらの養生材を支持するフレームとを備える桁用コンクリートブロック養生装置において、前記養生材は、前記底版下面に配置し気体注入で膨張する底版用袋体と、この底版用袋体の両側外方にあって前記張出しフランジ下面及びこれに連なる前記ウェブ外面に配置し気体注入で膨張し、最大桁高部を被覆し得る桁高追従袋体である一対のフランジ・ウエブ用袋体を有し、前記フレームは、底版型枠支持梁に固定し前記底版用袋体を支持する底版用フレームと、前記張出しフランジ下面に配置する外型枠支持梁に固定し前記フランジ・ウエブ用袋体を支持固定すると共に前記桁高追従袋体を固定する垂下部を有する略Ｌ字形状のフランジ・ウエブ用フレームを有することを特徴とするものである。
【０００９】
底版用袋体及び一対のフランジ・ウエブ用袋体には夫々送風機が接続する。各送風機は熱源送風手段に接続しており、各袋体に熱風を送り込む。底版用フレーム及びフランジ・ウエブ用フレームに固定する各袋体は熱風で膨張する際にはコンクリート面に密着するが、送風停止後には収縮して略平坦となり、コンクリート面から離隔する。
【００１０】
底版用フレームは、底版型枠を解体移動した後の底版型枠支持梁に載置固定する袋体支持材を有する。張出しフランジの下面型枠とウェブの型枠を解体移動した後、外型枠支持梁にフランジ・ウエブ用フレームの上辺部を載置固定する。
【００１２】
垂下部は、その外面に側方支持材を取り付け桁高追従袋体をコンクリート面に密着する。
【発明の効果】
【００１３】
この発明の桁用コンクリートブロック養生装置は、気体注入で膨張する底版用袋体と一対のフランジ・ウエブ用袋体を有するので、養生時には熱風を送風して膨張させ、養生終了後には縮小することができる。袋体は三分割されており、夫々が独立したフレームに固定されているので養生材の設置及び撤去が容易になる。
【００１４】
桁用コンクリートブロック養生装置は桁高追従袋体とフレーム垂下部を有するので、最小桁高部から最大桁高部までを同一のフランジ・ウエブ用袋体で養生できる。従って、本養生装置は桁高の変化に追従でき、養生ブロック毎に養生材やフレームの加工を必要としない。このため養生材は当初のままなので再利用も可能となる。
【図面の簡単な説明】
【００１５】
【図１】張出架設工法で構築する桁用コンクリートブロックに養生装置を取り付ける正面図である。
【図２】図１のII−II断面を示す断面図である。
【図３】最小桁高部のコンクリートブロックに養生装置を取り付ける断面図である。
【図４】従来の張出架設工法で構築する桁用コンクリートブロックに養生装置を取り付ける正面図である。
【発明を実施するための最良の形態】
【００１６】
次にこの発明の実施の形態を添付図面に基づき詳細に説明する。図１は張出架設工法で構築する桁用コンクリートブロックに養生装置を取り付ける正面図、図２は図１のII−II断面を示す断面図である。
【００１７】
桁Ａを移動式作業車Ｂを用いて張出し施工によって構築する場合、解体された型枠Ｃは前進移動して転用されるため、脱型後の既設コンクリートブロックには桁用コンクリートブロック養生装置１が設置される。
【００１８】
桁用コンクリートブロック養生装置１は、図２に示すようにコンクリート型枠を脱型した床版２の張出しフランジ３の下面と底版４の下面とウェブ５の外面に夫々密着する養生材６と、これらの養生材６を支持するフレーム７を備える。
【００１９】
この養生材６は、底版４の下面に配置し、気体注入で膨張する底版用袋体６ａと、この底版用袋体６ａの両側外方にあって張出しフランジ３の下面及びこれに連なるウェブ５の外面に配置する一対のフランジ・ウエブ用袋体６ｂ，６ｃを有し、これらを支持するフレーム７は、底版用フレーム７ａとフランジ・ウエブ用フレーム７ｂ、７ｃである。
【００２０】
底版用フレーム７ａは底版型枠支持梁８に固定する袋体支持梁７ａ１と、この上面に載置する横架材７ａ２より構成される。底版型枠Ｃを解体移動した後、底版用フレーム７ａを底版型枠支持梁８に沿ってスライド移動することで底版用袋体６ａを容易に桁高に追従することができる。
【００２１】
フランジ・ウエブ用フレーム７ｂ、７ｃは外型枠支持梁９に固定する張出部７ｂ１，７ｃ１と、これら張出部７ｂ１，７ｃ１と夫々回動可能に連結する垂下部７ｂ２，７ｃ２とを有する。
【００２２】
これら垂下部７ｂ２，７ｃ２は最大桁高部に相当する長さを有し、フランジ・ウエブ用袋体６ｂ、６ｃも最大桁高部を被覆し得る長さを有する。この桁高追従のフランジ・ウエブ用袋体６ｂ、６ｃは、張出しフランジ３の図示しない下面型枠と、ウェブ５の図示しない外型枠を解体移動した後、外型枠支持梁９に張出部７ｂ１，７ｃ１を夫々載置固定する。
【００２３】
これらの養生材６は、型枠撤去後のコンクリート表面のひび割れを防止するために用いる部材で、合成繊維、合成樹脂、天然ゴムの単体又はこれらの複合素材からなり、橋軸方向と平行に配置する各隔壁６ａ１，６ｂ１，６ｃ１によって複数の袋体に分割されており、隣接する袋体は連通している。これらの袋体は収縮状態で設置し、空気流入口を図示しないホース、送風機及び熱源送風手段に接続し、各袋体に熱風を送り込み、養生材６を膨らませて、既設コンクリートの表面に密着させる。又、送風を停止し、空気を排出することで収縮させ、平坦状態にする。
【００２４】
フランジ・ウエブ用フレーム７ｂ、７ｃの垂下部７ｂ２，７ｃ２に固定するフランジ・ウエブ用袋体６ｂ、６ｃは、袋体に裁縫した図示しないピケットにて垂下部７ｂ２，７ｃ２に紐等で固定する。
【００２５】
又垂下部７ｂ２，７ｃ２は移動作業車Ｂの外周足場Ｄに控え７ｂ３，７ｃ３をとって固定し、袋体をコンクリート面に密着させる。
【００２６】
次に最小桁高部における養生装置の取付状態を図３に基づき説明する。図３は最小桁高部のコンクリートブロックに養生装置を取り付ける断面図である。
【００２７】
各養生材６及びフレーム７は、図１及び図２に示す大きさのものをそのままスライドして使用する。即ち、底版用フレーム７ａは底版型枠支持梁８に沿ってスライド移動させ、底版用袋体６ａを底版４に密着させる。
【００２８】
又フランジ・ウエブ用フレーム７ｂ、７ｃも外型枠支持梁９に沿ってスライド移動し、垂下部７ｂ２，７ｃ２は底板４の下方に突出する。
【符号の説明】
【００２９】
１  桁用コンクリートブロック養生装置
２  床版
３  張出フランジ
４  底版
５  ウエブ
６  養生材
６ａ  底版用袋体
６ｂ  フランジ・ウエブ袋体
６ｃ  フランジ・ウエブ袋体
７  フレーム
７ｂ  フランジ・ウエブ用フレーム
７ｃ  フランジ・ウエブ用フレーム
８  底版型枠支持梁
９  外型枠支持梁
【図１】
0006038753.tif 000002
【図２】
0006038753.tif 000003
【図３】
0006038753.tif 000004
【図４】
0006038753.tif 000005